(57)【要約】【課題】画質の向上した動画像を表示する。【解決手段】液晶表示装置３０には、フレームメモリ１、補正データ生成回路２、ソースドライバ３、ゲートドライバ４、及び表示パネル５が設けられている。補正データ生成回路２には、減算器１１、α乗算器１２、及び加算器１３が設けられている。減算器１１は、フレームメモリ１から出力される１フレーム前の画像データＬ０と現在のフレームの画像データＬ１を入力し、減算処理を行う。α乗算器１２は、減算器１１から出力される信号を入力し、α倍の演算処理を行う。加算器１３は、フレームメモリ１から出力される１フレーム前の画像データＬ０とα乗算器１２から出力されるα乗算結果を入力して加算処理を行い、オーバドライブされた補正画像データＬＬＡＯをソースドライバ３に出力する。【選択図】図１
2008009383.tif 000002
【特許請求の範囲】
【請求項１】
画像信号を入力し、画像データを記憶するメモリと、
現在のフレームの画像データと前記メモリから出力される１フレーム前の画像データを入
力して減算処理を行う減算手段と、前記減算手段の減算結果を入力して所定倍の乗算処理
を行う乗算手段と、前記乗算手段の乗算結果と前記メモリから出力される１フレーム前の
画像データ或いは現在のフレームの画像データを入力し、加算処理を行う加算手段とを有
し、前記画像データが動画の場合にオーバドライブ処理を行う補正データ生成回路と、
を具備することを特徴とする液晶表示装置。
【請求項２】
画像信号を入力し、画像データを記憶するメモリと、
外部から入力される傾き係数値を記憶する傾き係数記憶手段と、
現在のフレームの画像データと前記メモリに記憶される１フレーム前の画像データを入力
して減算処理を行う減算手段と、前記減算手段の減算結果を入力し、前記傾き係数値を用
いて乗算処理を行う乗算手段と、前記乗算手段の乗算結果と前記メモリから出力される１
フレーム前の画像データ或いは現在のフレームの画像データを入力し、加算処理を行う加
算手段とを有し、前記画像データが動画の場合、オーバドライブ処理を行い、前記画像デ
ータが静止画の場合、直接静止画像データとして出力する補正データ生成回路と、
を具備することを特徴とする液晶表示装置。
【請求項３】
画像信号を入力し、画像データを記憶するフレームメモリと、
外部から入力される、値の異なる複数の傾き係数値を記憶する傾き係数記憶手段と、
現在のフレームの画像データから前記フレームメモリに記憶される１フレーム前の画像デ
ータを減算処理する減算器と、減算処理結果にもとづいて、前記値の異なる複数の傾き係
数値の中から１つを判定及び選択する判定回路と、
前記減算器の減算結果を入力し、前記判定回路で選択された傾き係数値を用いて乗算処理
する乗算器と、前記乗算器の乗算結果と前記フレームメモリに記憶される１フレーム前の
画像データを入力し、加算処理を行う加算器とを有し、前記画像データが動画の場合、オ
ーバドライブ処理を行い、前記画像データが静止画の場合、直接静止画像データとして出
力する補正データ生成回路と、
を具備することを特徴とする液晶表示装置。
【請求項４】
前記傾き係数記憶手段は、傾き係数値を記憶するレジスタであることを特徴とする請求
項２又は３に記載の液晶表示装置。
【請求項５】
画像信号を入力し、画像に動画領域がある場合、動画部分をエッジ強調処理するエッジ
強調回路と、
前記エッジ強調回路から出力されるエッジ強調処理されたエッジ強調画像データを入力し
、画像データを記憶するメモリと、
前記エッジ強調画像データと前記メモリから出力される１フレーム前の画像データを入力
して減算処理を行う減算手段と、前記減算手段の減算結果を入力して所定倍の乗算処理を
行う乗算手段と、前記乗算手段の乗算結果と前記メモリから出力される１フレーム前の画
像データ或いは前記エッジ強調画像データを入力し、加算処理を行う加算手段とを有し、
前記画像データが動画の場合にオーバドライブ処理を行う補正データ生成回路と、
を具備することを特徴とする液晶表示装置。
【請求項６】
画像データをフレームメモリに記憶するステップと、
現在のフレームの動画像データから前記フレームメモリに記憶される１フレーム前の動画
像データを減算処理するステップと、
減算処理された動画像データを第１の傾き係数値を用いて乗算処理するステップと、
乗算処理された動画像データと前記フレームメモリに記憶される１フレーム前の動画像デ
ータを加算処理して、オーバドライブされた補正動画像データとするステップと、
前記補正動画像データから動画像データを表示するステップと、
表示された動画像が最適な画像か、或いは改善すべき画像かの判定を行うステップと、
前記表示された動画像が改善すべき画像と判定された場合、前記第１の傾き係数値とは異
なる第２の傾き係数値をもとに、減算処理、乗算処理、及び加算処理を行い、この処理を
前記動画像が最適な画像になるまで繰り返し行うステップと、
を具備することを特徴とする液晶表示装置の駆動方法。
【請求項７】
画像データに動画領域がある場合、動画部分をエッジ強調処理するステップと、
エッジ強調された動画像データをフレームメモリに記憶するステップと、
前記エッジ強調された動画像データから前記フレームメモリに記憶される１フレーム前の
動画像データを減算処理するステップと、
減算処理された動画像データを第１の傾き係数値を用いて乗算処理するステップと、
乗算処理された動画像データと前記フレームメモリに記憶される１フレーム前の動画像デ
ータを加算処理して、オーバドライブされた補正動画像データとするステップと、
前記補正動画像データから動画像データを表示するステップと、
表示された動画像が最適な画像か、或いは改善すべき画像かの判定を行うステップと、
前記表示された動画像が改善すべき画像と判定された場合、前記第１の傾き係数値とは異
なる第２の傾き係数値をもとに、減算処理、乗算処理、及び加算処理を行い、この処理を
前記動画像が最適な画像になるまで繰り返し行うステップと、
を具備することを特徴とする液晶表示装置の駆動方法。
【発明の詳細な説明】
【技術分野】
【０００１】
本発明は、液晶表示装置に係り、特に動画像の画質を改善する技術に関する。
【背景技術】
【０００２】
近年、液晶表示装置は大型化、高精細化が進行し、パーソナルコンピュータ、移動体端
末、ＴＶ、車載等などのディスプレイとして、その応用が拡大している。また、パーソナ
ルコンピュータやＴＶなどの高機能化により、液晶表示装置に表示される画像は、静止画
から動画まで幅広くなり、液晶表示装置にはより高画質な表示性能が要求されている。液
晶表示装置では、液晶材料の応答速度の遅さに起因して、十分な表示性能を有する動画表
示が困難である。このため、液晶セルの応答速度を改善して液晶表示パネルの動画表示を
改善する技術であるオーバドライブ技術が液晶表示装置に多用されている。このオーバド
ライブ技術には、１フレーム前の画像データと現在の画像データから決まる補正データを
設定するためのテーブルであるＬＵＴ（Look-up  table）が用いられる（例えば、特許文
献１及び２参照。）。
【０００３】
ところが、ＬＵＴ方式のオーバドライブ技術では、新規に液晶表示パネルを設計する毎
に、最適な補正データを測定して画像データの諧調数に見合う量の膨大な量の補正データ
をＲＯＭなどのメモリに書き込む作業が発生するという問題点がある。また、ＬＵＴ方式
では出力端子数や消費電力が増加するという問題点がある、特に、端子数の制限及び低消
費電力化要求の強い移動体端末、例えば携帯電話にＬＵＴ方式のオーバドライブ技術を用
いるのは、端子数及び消費電力の増加から困難となる。携帯電話以外には、例えば、携帯
型ディジタルオーディオプレーヤ、携帯型ゲーム機といった場合、コンサートの動画表示
やシミュレーション・ゲームでの動画表示において同様な問題がある。
【特許文献１】特開２００４−１０９７９６号公報（頁８、図２）
【特許文献２】米国特許出願公開第２００５／０２５３７８５号明細書
【発明の開示】
【発明が解決しようとする課題】
【０００４】
本発明は、画質の向上した動画像を表示できる液晶表示装置及びその駆動方法を提供す
る。
【課題を解決するための手段】
【０００５】
上記目的を達成するために、本発明の一態様の液晶表示装置は、画像信号を入力し、画
像データを記憶するメモリと、現在のフレームの画像データと前記メモリから出力される
１フレーム前の画像データを入力して減算処理を行う減算手段と、前記減算手段の減算結
果を入力して所定倍の乗算処理を行う乗算手段と、前記乗算手段の乗算結果と前記メモリ
から出力される１フレーム前の画像データ或いは現在のフレームの画像データを入力し、
加算処理を行う加算手段とを有し、前記画像データが動画の場合にオーバドライブ処理を
行う補正データ生成回路とを具備することを特徴とする。
【０００６】
更に、上記目的を達成するために、本発明の一態様の液晶表示装置の駆動方法は、画像
データをフレームメモリに記憶するステップと、現在のフレームの動画像データから前記
フレームメモリに記憶される１フレーム前の動画像データを減算処理するステップと、減
算処理された動画像データを第１の傾き係数値を用いて乗算処理するステップと、乗算処
理された動画像データと前記フレームメモリに記憶される１フレーム前の動画像データを
加算処理して、オーバドライブされた補正動画像データとするステップと、前記補正動画
像データから動画像データを表示するステップと、表示された動画像が最適な画像か、或
いは改善すべき画像かの判定を行うステップと、前記表示された動画像が改善すべき画像
と判定された場合、前記第１の傾き係数値とは異なる第２の傾き係数値をもとに、減算処
理、乗算処理、及び加算処理を行い、この処理を前記動画像が最適な画像になるまで繰り
返し行うステップとを具備することを特徴とする。
【発明の効果】
【０００７】
本発明によれば、画質の向上した動画像を表示できる液晶表示装置及びその駆動方法を
提供することができる。
【発明を実施するための最良の形態】
【０００８】
以下本発明の実施例について図面を参照しながら説明する。
【実施例１】
【０００９】
まず、本発明の実施例１に係る液晶表示装置について、図面を参照して説明する。図１
は液晶表示装置の構成を示す概略ブロック図である。本実施例では、液晶表示装置に、Ｌ
ＵＴ（Look−up  table）を用いずに、動画像を補正する補正データ生成回路を設けてい
る。
【００１０】
図１に示すように、液晶表示装置３０には、フレームメモリ１、補正データ生成回路２
、ソースドライバ３、ゲートドライバ４、及び表示パネル（ＬＣＤ  Liquid  Crystal  D
isplay）５が設けられ、携帯電話に用いられる。
【００１１】
フレームメモリ１は、画像信号ＳＧＳを入力し、１フレーム毎に画像情報を記憶して１
フレーム前の画像データＬ０を補正データ生成回路２に出力する。ここで、画像信号ＳＧ
Ｓは、図示しない、例えば、ディスプレイコントローラ（マイクロプロセッサを用いる場
合もある）から出力された信号である。ディスプレイコントローラは、クロック信号など
の同期信号、及び赤（Ｒ）、緑（Ｇ）、青（Ｂ）の表示データ情報を入力し、液晶表示装
置３０の実行演算を行うための画像信号ＳＧＳ、同期信号ＳＤＯ、及び制御信号ＳＳＧを
出力する。
【００１２】
補正データ生成回路２には、減算器１１、α乗算器１２、及び加算器１３が設けられて
いる。補正データ生成回路２は、フレームメモリ１とソースドライバ３の間に設けられ、
動画像データを入力し、演算処理を行いオーバドライブした補正画像データＬＬＡＯをソ
ースドライバ３に出力する。なお、画像信号ＳＧＳが静止画像データの場合、補正データ
生成回路２は直接静止画像データをソースドライバ３に出力する。
【００１３】
減算器（減算手段）１１は、フレームメモリ１とα乗算器（乗算手段）１２の間に設け
られ、フレームメモリ１から出力される１フレーム前の画像データＬ０と現在のフレーム
の画像データＬ１を入力し、減算処理を行い、その結果をα乗算器１２に出力する。
【００１４】
α乗算器（乗算手段）１２は、減算器１１と加算器（加算手段）１３の間に設けられ、
減算器１１から出力される信号を入力し、α倍の演算処理を行い、その結果を加算器１３
に出力する。なお、α乗算処理については、後に詳述する。
【００１５】
加算器（加算手段）１３は、フレームメモリ１及びα乗算器１２とソースドライバ３の
間に設けられ、フレームメモリ１から出力される１フレーム前の画像データＬ０とα乗算
器１２から出力されるα乗算結果を入力し、加算処理を行い、その結果を補正画像データ
ＬＬＡＯとしてソースドライバ３に出力する。なお、補正画像データＬＬＡＯの最大値は
、画像データがｎｂｉｔの場合２ｎ−１諧調、例えば８ｂｉｔの場合２５５階調を超えな
いように演算する。
【００１６】
ソースドライバ３は、加算器１３と表示パネル５の間に設けられ、加算器１３から出力
される補正画像データＬＬＡＯと制御信号ＳＳＧを入力し、表示パネル５のＮｃｈ本数か
らなるデータ線に電圧情報である映像データを供給する。なお、画像信号ＳＧＳが静止画
像データの場合、ソースドライバ３は、データ補正されない静止画像データと制御信号Ｓ
ＳＧを入力し、表示パネル５のＮｃｈ本数からなるデータ線に電圧情報である映像データ
を供給する。それぞれのデータ線は、表示パネル５に設けられるＴＦＴ（Thin  Film  Tr
ansistor）のソースに接続される。
【００１７】
ゲートドライバ４は、画像信号ＳＧＳと同期する同期信号ＳＤＯを入力し、表示パネル
５のＭｃｈ本数からなる走査線に映像を表示するための電圧を供給する。なお、それぞれ
の走査線は表示パネル５に設けられるＴＦＴのゲートに接続される。
【００１８】
表示パネル５は、ＮＣＨ本数のデータ線とＭＣＨ本数の走査線を有し、データ線及び走
査線情報にもとづいて、各液晶セルに画像を表示する。
【００１９】
次に、フレーム間差分信号とオーバドライブ信号の関係について図２及び図３を参照し
て説明する。図２はフレーム間差分信号とオーバドライブ信号の関係を示す図、図３はフ
レーム間の画像レベルを説明する図、図３（ａ）は低い諧調から高い諧調へ変化した場合
のフレーム間の画像レベルを説明する図、図３（ｂ）は高い諧調から低い諧調へ変化した
場合のフレーム間の画像レベルを説明する図である。
【００２０】
フレーム間差分信号である（Ｌ１−Ｌ０）とオーバドライブ信号である（ＬＬＡＯ−Ｌ
０）の関係は、図２に示すように、ほぼ直線で近似することができる。ここで、直線の傾
き係数をα、１フレーム前の画像データをＬ０、現在のフレームの画像データをＬ１、補
正画像データをＬＬＡＯとすると、
LLAO＝α(L1−L0)＋L0・・・・・・・・・・・・・式（１）
と表される。即ち、（Ｌ１―Ｌ０）の減算処理を減算器１１で、α（Ｌ１−Ｌ０）のα乗
算処理をα乗算器１２で、α（Ｌ１−Ｌ０）＋Ｌ０の加算処理を加算器１３でそれぞれ実
行することにより、オーバドライブされた補正画像データＬＬＡＯが生成される。
【００２１】
ここで、図２に示す分布データでは、傾き係数αの値が１．４４７３で、相関係数ｒを
２乗した値ｒ２が０．９９４８であり、正の強い相関を有している。なお、表示パネルに
用いる液晶材料が異なると、傾き係数αの値及び相関係数ｒを２乗した値ｒ２は上述した
値とは異なるが、強い相関関係を維持する。つまり、他の液晶材料でも式（１）を適用す
ることができる。
【００２２】
図３（ａ）に示すように、画像レベルが低い諧調から高い諧調へ変化した場合、補正画
像データＬＬＡＯは現在のフレームの画像データＬ１に補正値が加算される。ここで、オ
ーバドライブされた補正画像データＬＬＡＯの画像強度は、現在のフレームの画像データ
Ｌ１よりも大きくしているので、液晶セルの動画表示応答速度を早くすることができる。
【００２３】
一方、図３（ｂ）に示すように、画像レベルが高い諧調から低い諧調へ変化した場合、
補正画像データＬＬＡＯは現在のフレームの画像データＬ１に補正値が減算される。ここ
で、オーバドライブされた補正画像データＬＬＡＯの画像強度は、現在のフレームの画像
データＬ１よりも小さくしているので、１フレーム前の画像強度の大きな動画像を速く消
去することができる。なお、傾き係数αは固定されたものを用いずに、随時変更した傾き
係数αを用いるのが好ましい。
【００２４】
上述したように、本実施例の液晶表示装置では、フレームメモリ１、補正データ生成回
路２、ソースドライバ３、ゲートドライバ４、及び表示パネル５が設けられている。補正
データ生成回路２には、減算器１１、α乗算器１２、及び加算器１３が設けられている。
補正データ生成回路２は、動画データをオーバドライブ処理し、画像信号ＳＧＳが静止画
像データの場合、直接静止画像データをソースドライバ３に出力する。減算器１１は、フ
レームメモリ１から出力される１フレーム前の画像データＬ０と現在のフレームの画像デ
ータＬ１を入力し、減算処理を行う。α乗算器１２は、減算器１１から出力される信号を
入力し、α倍の演算処理を行う。加算器１３は、フレームメモリ１から出力される１フレ
ーム前の画像データＬ０とα乗算器１２から出力されるα乗算結果を入力して加算処理を
行い、オーバドライブされた補正画像データＬＬＡＯをソースドライバ３に出力する。
【００２５】
このため、ＬＵＴを用いることなく、応答速度の速い動画像を液晶表示パネルに表示す
ることができる。また、新規に液晶表示パネルを設計する毎に、最適な補正データを測定
して画像データの諧調数に見合う量の膨大な量の補正データをＲＯＭなどのメモリに書き
込む作業が不要となる。また、ＬＵＴに対応するための出力端子が不要となり、出力端子
数の増加を抑制することができる。更に、ＬＵＴ方式と比較して回路構成を簡略化するこ
とができるので、低消費電力化ができる。したがって、端子数の制限及び低消費電力化要
求の強い移動体端末としての携帯電話などの液晶表示装置に適用することができる。
【実施例２】
【００２６】
次に、本発明の実施例２に係る液晶表示装置及びその駆動方法について、図面を参照し
て説明する。図４は、液晶表示装置を示す概略ブロック図である。本実施例では、傾き係
数αを記憶するレジスタを設けている。
【００２７】
以下、実施例１と同一構成部分には、同一符号を付してその部分の説明を省略し、異な
る部分のみ説明する。
【００２８】
図４に示すように、液晶表示装置３０ａには、フレームメモリ１、補正データ生成回路
２、ソースドライバ３、ゲートドライバ４、表示パネル５、及びレジスタ６が設けられ、
携帯電話に用いられる。
【００２９】
レジスタ（傾き係数記憶手段）６は、液晶表示装置３０ａ外から入力される傾き係数α
の情報を有する入力信号ＳＩＮを入力し、その情報を記憶する。そして、傾き係数αの情
報を有するレジスタ出力信号ＳＲＥをα乗算器１２に出力する。α乗算器１２は、レジス
タ６を介して外部から入力される傾き係数αが入力された場合、この傾き係数αを用いて
α乗算処理を行う。外部から入力される傾き係数αを用いることにより、映像を見るもの
にとって最適な動画像を適宜設定することが可能となる。適宜設定する例としては、例え
ば、周囲の温度変化や経年変化に伴う液晶特性そのものの変化への対応、バックライト消
費電力を削減するためのダイミナミック・ガンマ補正に関する階調レベルの修正への対応
、動作周波数の変更に伴う補正量そのものの変化への対応などが考えられるが、これらに
理由を限定するべきでなく、一般に種々の理由での変更に対応できる。
【００３０】
次に、液晶表示装置の動作について図５を参照して説明する。図５は液晶表示装置の動
作を示すフローチャートである。
【００３１】
図５に示すように、まず、画像信号ＳＧＳがフレームメモリ１に入力され、画像データ
が記憶される（ステップＳ１）。
【００３２】
次に、動画像データでは、フレームメモリ１から出力される１フレーム前の画像データ
Ｌ０と現在のフレームの画像データが補正データ生成回路２の減算器１１に入力され、減
算処理が行われる。減算処理された画像データは、補正データ生成回路２のα乗算器１２
で、例えば所定の値の傾き係数α１を用いてα乗算処理が行われる。α乗算処理された画
像データと１フレーム前の画像データＬ０が補正データ生成回路２の加算器１３に入力さ
れ、加算処理が行われる（ステップＳ２）。
【００３３】
続いて、加算処理され、オーバドライブされた補正画像データＬＬＡＯがソースドライ
バ３に入力される。ソースドライバ３から出力されるＮｃｈ本数の映像データ線情報とゲ
ートドライバ４から出力される走査線情報が表示パネル５に入力されて画像が表示される
（ステップＳ３）。
【００３４】
そして、画像を見るものにとって、動画像が最適な画像か、或いは改善すべきものかの
判定が行われる。例えば、判定基準として動画像の動きがシャープであるかどうかが判定
される（ステップＳ４）。
【００３５】
動画像が最適な画像と判定された場合、そのまま画像表示が続行される（ステップＳ５
）。動画像の動きが、例えばシャープでなく改善すべきと判定された場合、レジスタ６を
介して外部から所定の傾き係数α１と異なる、例えば傾き係数α１よりも値の大きな傾き
係数α２が補正データ生成回路２のα乗算器１２に入力され、α乗算処理される（ステッ
プＳ６）。次に、α乗算処理された画像データをもとに画像補正（ステップＳ２）から画
像表示（ステップＳ３）が行われる。このステップは、画像を見るものにとって、動画像
が最適な画像と判定されるまで繰り返し実行される。
【００３６】
上述したように、本実施例の液晶表示装置及びその駆動方法では、フレームメモリ１、
補正データ生成回路２、ソースドライバ３、ゲートドライバ４、表示パネル５、及びレジ
スタが設けられている。補正データ生成回路２には、減算器１１、α乗算器１２、及び加
算器１３が設けられている。補正データ生成回路２は、動画データをオーバドライブ処理
し、画像信号ＳＧＳが静止画像データの場合、直接静止画像データをソースドライバ３に
出力する。減算器１１は、フレームメモリ１から出力される１フレーム前の画像データＬ
０と現在のフレームの画像データＬ１を入力し、減算処理を行う。α乗算器１２は、減算
器１１から出力される信号を入力し、α倍の演算処理を行う。加算器１３は、フレームメ
モリ１から出力される１フレーム前の画像データＬ０とα乗算器１２から出力されるα乗
算結果を入力して加算処理を行い、オーバドライブされた補正画像データＬＬＡＯをソー
スドライバ３に出力する。レジスタ６は、液晶表示装置３０ａ外から入力される傾き係数
αの情報を有する入力信号ＳＩＮを入力してその情報を記憶し、傾き係数αの情報を有す
るレジスタ出力信号ＳＲＥをα乗算器１２に出力する。レジスタ６を介して外部から入力
される傾き係数αがα乗算器１２に入力された場合、この傾き係数αを用いてα乗算処理
が行われる。
【００３７】
このため、ＬＵＴを用いることなく、応答速度の速い動画像を液晶表示パネルに表示す
ることができる。また、新規に液晶表示パネルを設計する毎に、最適な補正データを測定
して画像データの諧調数に見合う量の膨大な量の補正データをＲＯＭなどのメモリに書き
込む作業が不要となる。また、ＬＵＴに対応するための出力端子が不要となり、出力端子
数の増加を抑制することができる。また、ＬＵＴ方式と比較して回路構成を簡略化するこ
とができるので、低消費電力化ができる。更に、外部より液晶表示画面を見ながら動画像
が最適な動きになるように、傾き係数αの値を適宜設定することができるので、補正デー
タの測定する時間を短縮化でき、液晶材料或いは液晶パネル毎に再設計する必要がない。
したがって、端子数の制限及び低消費電力化要求の強い移動体端末としての携帯電話など
の液晶表示装置に適用することができる。
【００３８】
なお、本実施例では、動画像判定を人間が行っているが測定機器を用いて判定してもよ
い。また、レジスタ６の代わりにメモリ、例えば不揮発性メモリを用いて傾き係数αの情
報を記憶してもよい。
【実施例３】
【００３９】
次に、本発明の実施例３に係る液晶表示装置について、図面を参照して説明する。図６
は液晶表示装置を示す概略ブロック図、図７はエッジ強調処理を説明する図、図８は動き
速度とエッジ強調係数の関係を示す図である。本実施例では、動画像の場合、エッジ強調
処理を行ってからオーバドライブ処理を実施している。
【００４０】
以下、実施例１と同一構成部分には、同一符号を付してその部分の説明を省略し、異な
る部分のみ説明する。
【００４１】
図６に示すように、液晶表示装置３０ｂには、フレームメモリ１、補正データ生成回路
２、ソースドライバ３、ゲートドライバ４、表示パネル５、及びエッジ強調回路２０が設
けられ、携帯電話に用いられる。
【００４２】
エッジ強調回路２０には、エッジ検出回路２１、減算器２２、γ乗算器２３、及び加算
器２４が設けられる。エッジ強調回路２０は、画像信号ＳＧＳを入力し、画像の動画領域
を抽出してエッジ強調処理を行う。
【００４３】
エッジ検出回路２１は、画像信号ＳＧＳを入力し、図７に示すように、前のフレームと
現在のフレームを比較し、画像に動画領域と静止画領域があるかの判別を行う。動画領域
がある場合（例えば、画像Ａ）、動画像の動き速度に応じて、エッジ強調処理を行う。な
お、画像のエッジでない場合及び静止画領域（例えば、画像Ｂ）の場合は、エッジ強調さ
れない。
【００４４】
エッジ強調処理を行うために使用されるエッジ強調係数γは、例えば、図８に示すよう
に、動き速度がゼロ（静止画像）から動き速度が少ない値Ａの間、γ＝１に設定される。
動き速度が値Ａと動き速度が大きい値Ｂの間、エッジ強調係数γは直線的に増加するよう
に設定される。動き速度が値Ｂよりも大きい領域では、エッジ強調係数γは一定な値に設
定される。なお、エッジ強調係数γは、例えばエッジ検出回路２１に使用されるフィルタ
ーと画像の諧調データなどにより決定される。
【００４５】
減算器（減算手段）２２は、フレームメモリ１から出力される１フレーム前の画像デー
タＬ０と現在のフレームの画像データＬ１を入力し、減算処理を行い、その結果をγ乗算
器２３に出力する。
【００４６】
γ乗算器（乗算手段）２３は、減算器２２と加算器２４の間に設けられ、減算器２３か
ら出力される信号を入力し、γ乗算器２３から出力される信号にもとづいてγ倍の演算処
理を行い、その結果を加算器２４に出力する。なお、γ乗算処理については、後に詳述す
る。
【００４７】
加算器２４（加算手段）は、γ乗算器２３とフレームメモリ１の間に設けられ、フレー
ムメモリ１から出力される１フレーム前の画像データＬ０とγ乗算器２３から出力される
γ乗算結果を入力し、加算処理を行い、その結果をエッジ強調画像データＬｃとしてフレ
ームメモリ１及び減算器１１に出力する。
【００４８】
フレームメモリ１は、エッジ強調画像データＬｃを入力し、１フレーム毎に画像情報を
記憶して１フレーム前の画像データＬ０を補正データ生成回路２及びエッジ強調回路２０
に出力する。
【００４９】
補正データ生成回路２には、減算器１１、α乗算器１２、及び加算器１３が設けられて
いる。減算器（減算手段）１１は、フレームメモリ１とα乗算器（乗算手段）１２の間に
設けられ、フレームメモリ１から出力される１フレーム前の画像データＬ０と加算器２４
から出力されるエッジ強調画像データＬｃを入力し、減算処理を行い、その結果をα乗算
器１２に出力する。なお、α乗算器１２及び加算器１３は、実施例１と同様な動作をする
ので説明を省略する。
【００５０】
ここで、エッジ強調係数をγ、直線の傾き係数をα、１フレーム前の画像データをＬ０
、現在のフレームの画像データをＬ１、補正画像データをＬＬＡＯとすると、エッジ強調
画像データＬｃは、
Lｃ＝γ(L1−L0)＋L0・・・・・・・・・・・・・・式（２）
と表される。即ち、（Ｌ１―Ｌ０）の減算処理を減算器２２で、γ（Ｌ１−Ｌ０）のγ乗
算処理をγ乗算器２３で、γ（Ｌ１−Ｌ０）＋Ｌ０の加算処理を加算器２４でそれぞれ実
行することにより、エッジ強調されたエッジ強調画像データＬＯが生成される。
【００５１】
そして、補正画像データＬＬＡＯは、
LLAO＝α(Lc−L0)＋L0・・・・・・・・・・・・・式（３）
と表される。即ち、（Ｌｃ―Ｌ０）の減算処理を減算器１１で、α（Ｌｃ−Ｌ０）のα乗
算処理をα乗算器１２で、α（Ｌｃ−Ｌ０）＋Ｌ０の加算処理を加算器１３でそれぞれ実
行することにより、オーバドライブされた補正画像データＬＬＡＯが生成される。
【００５２】
ここでは、エッジ検出回路２１でエッジ強調係数γを算出しているが、外部からエッジ
強調係数γの情報を入力したり、予めレジスタなどに記憶されるエッジ強調係数γの情報
を入力したりしてもよい。
【００５３】
次に、液晶表示装置の動作について図９を参照して説明する。図９は液晶表示装置の動
作を示すフローチャートである。
【００５４】
図９に示すように、まず、画像信号ＳＧＳがエッジ強調回路２０に入力される（ステッ
プＳ２１）。次に、画像に動画領域と静止画領域があるかの判別が行われ、エッジ強調処
理が必要かの判断が行われる（ステップＳ２２）。例えば、静止画像などエッジ強調処理
が不要の場合は、オーバドライブ処理を行う画像補正のステップ（ステップＳ２４）に進
む。動画領域があり、エッジ強調処理が必要な場合、動画像の動き速度に応じて、最適な
エッジ強調係数γがエッジ強調回路２０で算出される（ステップＳ２３）。
【００５５】
続いて、算出されたエッジ強調係数γにもとづいて、エッジ強調回路２０でエッジ強調
処理されたエッジ強調画像データＬｃが生成され、そのデータはフレームメモリ１及び加
算器１１に出力される（ステップＳ２４）。
【００５６】
そして、フレームメモリ１から出力される１フレーム前の画像データＬ０とエッジ強調
画像データＬｃが補正データ生成回路２の減算器１１に入力され、減算処理が行われる。
減算処理された画像データは、補正データ生成回路２のα乗算器１２で、例えば所定の値
の傾き係数α１を用いてα乗算処理が行われる。α乗算処理された画像データと１フレー
ム前の画像データＬ０が補正データ生成回路２の加算器１３に入力され、加算処理が行わ
れる（ステップＳ２５）。
【００５７】
次に、加算処理され、オーバドライブされた補正画像データＬＬＡＯがソースドライバ
３に入力される。ソースドライバ３から出力されるＮｃｈ本数の映像データ線情報とゲー
トドライバ４から出力される走査線情報が表示パネル５に入力されて画像が表示される（
ステップＳ２６）。
【００５８】
続いて、画像を見るものにとって、動画像が最適な画像か、或いは改善すべきものかの
判定が行われる。例えば、判定基準として動画像の動きがシャープであるかどうか、画像
エッジにギラツキがあるかが判定される（ステップＳ２７）。
【００５９】
動画像が最適な画像と判定された場合、そのまま画像表示が続行される（ステップＳ２
９）。動画像の動きが、例えばシャープでなく改善すべきと判定された場合、所定の傾き
係数α１と異なる、例えば傾き係数α１よりも値の大きな傾き係数α２が補正データ生成
回路２のα乗算器１２に入力され、α乗算処理される（ステップＳ２８）。そして、α乗
算処理された画像データをもとに画像補正（ステップＳ２５）以降の処理が行われる。こ
のステップは、画像を見るものにとって、動画像が最適な画像と判定されるまで繰り返し
実行される。
【００６０】
画像エッジにギラツキがあると判定された場合、算出されたエッジ強調係数γ１と異な
る、例えばエッジ強調係数γ１よりも小さな値のエッジ強調係数γ２が設定され、それを
用いて、エッジ強調処理（ステップＳ２４）以降の処理が行われる。このステップは、画
像を見るものにとって、動画像が最適な画像と判定されるまで繰り返し実行される。
【００６１】
上述したように、本実施例の液晶表示装置及びその駆動方法では、フレームメモリ１、
補正データ生成回路２、ソースドライバ３、ゲートドライバ４、表示パネル５、及びエッ
ジ強調回路２０が設けられている。エッジ強調回路２０には、エッジ検出回路２１、減算
器２２、γ乗算器２３、及び加算器２４が設けられる。エッジ強調回路２０は、画像に動
画領域がある場合にエッジ強調処理を行い、エッジ強調処理された画像情報をフレームメ
モリ１及び補正データ生成回路２に出力する。補正データ生成回路２には、減算器１１、
α乗算器１２、及び加算器１３が設けられている。補正データ生成回路２は、動画データ
をオーバドライブ処理し、画像信号ＳＧＳが静止画像データの場合、直接静止画像データ
をソースドライバ３に出力する。減算器１１は、フレームメモリ１から出力される１フレ
ーム前の画像データＬ０とエッジ強調画像データＬｃを入力し、減算処理を行う。α乗算
器１２は、減算器１１から出力される信号を入力し、α倍の演算処理を行う。加算器１３
は、フレームメモリ１から出力される１フレーム前の画像データＬ０とα乗算器１２から
出力されるα乗算結果を入力して加算処理を行い、オーバドライブされた補正画像データ
ＬＬＡＯをソースドライバ３に出力する。
【００６２】
このため、実施例１と同様の効果のほかに、動画のエッジだけを強調することができる
ので、実施例１よりもより鮮明なボケの少ない動画を提供することができる。
【００６３】
なお、本実施例では、動き速度の値が（Ａ）と（Ｂ）の期間で、エッジ強調係数（γ）
が直線的に増加すると設定しているが、直線増加の代わりに、例えば２次曲線的に増加す
るなど設定を適宜変更してもよい。
【実施例４】
【００６４】
次に、本発明の実施例４に係る液晶表示装置について、図面を参照して説明する。図１
０は、液晶用ソースドライバを示すブロック図である。本実施例では、ソースドライバに
補正データ生成回路を設けている。
【００６５】
以下、実施例１と同一構成部分には、同一符号を付してその部分の説明を省略し、異な
る部分のみ説明する。
【００６６】
図１０に示すように、ソースドライバ３ａには、フレームメモリ１、補正データ生成回
路２、入力回路／制御回路７、及び出力回路８が設けられ、携帯電話に用いられる。ここ
で、フレームメモリ１は、消費電力を削減するために１画面分の表示をする表示メモリと
オーバドライブ技術に対応するフレームメモリとして機能する。
【００６７】
入力回路／制御回路７には、レジスタ６が設けられている。入力回路／制御回路７は、
画像信号ＳＧＳと制御信号画像信号ＳＳＧを入力し、画像データ情報をフレームメモリ１
に出力し、現在のフレームの画像データＬ１を補正データ生成回路２の減算器１１に出力
する。
【００６８】
レジスタ６は、入力回路／制御回路７に設けられ、液晶表示装置３０ａ外から入力され
る傾き係数αの情報を有する入力信号ＳＩＮを入力し、その情報を記憶する。そして、傾
き係数αの情報を有するレジスタ出力信号ＳＲＥをα乗算器１２に出力する。α乗算器１
２は、レジスタ６を介して外部から入力される傾き係数αが入力された場合、この傾き係
数αを用いてα乗算処理を行う。
【００６９】
出力回路８は、補正データ生成回路２から出力されるオーバドライブされた補正画像デ
ータＬＬＡＯを入力し、表示パネルのＮｃｈ本数からなるデータ線に電圧情報を出力する
。
【００７０】
上述したように、本実施例の液晶表示装置及びその駆動方法では、フレームメモリ１、
補正データ生成回路２、入力回路／制御回路７、及び出力回路８がソースドライバ３ａに
設けられている。補正データ生成回路２には、減算器１１、α乗算器１２、及び加算器１
３が設けられている。補正データ生成回路２は、動画データをオーバドライブ処理し、画
像信号ＳＧＳが静止画像データの場合、直接静止画像データを出力回路８に出力する。減
算器１１は、フレームメモリ１から出力される１フレーム前の画像データＬ０と現在のフ
レームの画像データＬ１を入力し、減算処理を行う。α乗算器１２は、減算器１１から出
力される信号を入力し、α倍の演算処理を行う。加算器１３は、フレームメモリ１から出
力される１フレーム前の画像データＬ０とα乗算器１２から出力されるα乗算結果を入力
して加算処理を行い、オーバドライブされた補正画像データＬＬＡＯを出力回路８に出力
する。レジスタ６は、入力回路／制御回路７に設けられ、外部から入力される傾き係数α
の情報を有する入力信号ＳＩＮを入力してその情報を記憶し、傾き係数αの情報を有する
レジスタ出力信号ＳＲＥをα乗算器１２に出力する。レジスタ６を介して外部から入力さ
れる傾き係数αがα乗算器１２に入力された場合、この傾き係数αを用いてα乗算処理が
行われる。
【００７１】
このため、ＬＵＴを用いることなく、応答速度の速い動画像を液晶表示パネルに表示す
ることができる。また、新規に液晶表示パネルを設計する毎に、最適な補正データを測定
して画像データの諧調数に見合う量の膨大な量の補正データをＲＯＭなどのメモリに書き
込む作業が不要となる。また、ＬＵＴに対応するための出力端子が不要となり、出力端子
数の増加を抑制することができる。また、ＬＵＴ方式と比較して回路構成を簡略化するこ
とができるので、低消費電力化ができる。また、外部より液晶表示画面を見ながら動画像
が最適な動きになるように、傾き係数αを適宜設定することができるので、補正データの
測定する時間を短縮化でき、液晶材料或いは液晶パネル毎に再設計する必要がない。更に
、補正データ生成回路２とレジスタ６をソースドライバ３ａに設けているので液晶表示装
置の部品点数を削減でき、液晶表示装置の軽量化及び小型化ができる。
【００７２】
なお、本実施例では、レジスタ６を入力回路／制御回路７内に設けているが、入力回路
／制御回路７外に設けてもよい。
【実施例５】
【００７３】
次に、本発明の実施例５に係る液晶表示装置について、図面を参照して説明する。図１
１は、液晶用ソースドライバを示すブロック図である。本実施例では、ソースドライバの
補正データ生成回路に加算器、α乗算器及び減算器をそれぞれ複数設けている。
【００７４】
以下、実施例４と同一構成部分には、同一符号を付してその部分の説明を省略し、異な
る部分のみ説明する。
【００７５】
図１１に示すように、ソースドライバ３ｂには、フレームメモリ１、補正データ生成回
路２ａ、入力回路／制御回路７、及び出力回路８が設けられ、携帯電話に用いられる。こ
こで、液晶表示パネルが、例えばＱＶＧＡサイズの画面の場合、２４０（ＲＧＢ）ｘ３２
０の画素（ｐｉｘｅｌ）数となり、ソースドライバ３ｂの出力端子数は２４０（ＲＧＢ）
ｘ３＝７２０個となり、ＬＵＴ方式を用いていないので出力端子数の増加を抑制できる。
また、画像データが６ｂｉｔの場合、フレームメモリ１の容量は２４０ｘ３ｘ３２０ｘ６
ｂｉｔとなる。
【００７６】
補正データ生成回路２ａには、減算器、α乗算器及び加算器がそれぞれＮ＝７２０個設
けられ、Ｎ＝７２０個分のオーバドライブ処理がそれぞれ行われる。
【００７７】
出力回路８は、補正データ生成回路２ａのＮ個の加算器からそれぞれ出力されるオーバ
ドライブされた補正画像データＬＬＡＯを入力し、表示パネルのデータ線に電圧情報を出
力する。ここで、出力回路８の出力端子数Ｎの数は、必ずしも７２０ｃｈ本数とは限らな
い。
【００７８】
上述したように、本実施例の液晶表示装置では、フレームメモリ１、補正データ生成回
路２ａ、入力回路／制御回路７、及び出力回路８がソースドライバ３ｂに設けられている
。補正データ生成回路２ａには、減算器、α乗算器、及び加算器がそれぞれＮ個設けられ
ている。補正データ生成回路２は、動画データをオーバドライブ処理し、画像信号ＳＧＳ
が静止画像データの場合、直接静止画像データを出力回路８に出力する。レジスタ６は、
入力回路／制御回路７に設けられ、外部から入力される傾き係数αの情報を有する入力信
号ＳＩＮを入力してその情報を記憶し、傾き係数αの情報を有するレジスタ出力信号ＳＲ
ＥをＮ個のα乗算器に出力する。レジスタ６を介して外部から入力される傾き係数αがＮ
個の乗算器に入力された場合、この傾き係数αを用いてα乗算処理が行われる。このため
、実施例４と同様の効果を有する。
【００７９】
なお、本実施例では、レジスタ６を入力回路／制御回路７内に設けているが、入力回路
／制御回路７外に設けてもよい。
【実施例６】
【００８０】
次に、本発明の実施例６に係る液晶表示装置について、図面を参照して説明する。図１
２は、液晶用ソースドライバを示すブロック図である。本実施例では、ソースドライバの
補正データ生成回路に加算器、α乗算器及び減算器をそれぞれ複数設け、その数は実施例
５よりも減少させている。
【００８１】
以下、実施例４と同一構成部分には、同一符号を付してその部分の説明を省略し、異な
る部分のみ説明する。
【００８２】
図１２に示すように、ソースドライバ３ｃには、フレームメモリ１、補正データ生成回
路２ｂ、入力回路／制御回路７、切り替え回路ＳＷ１ａ、・・・、切り替え回路ＳＷ１ｍ
、切り替え回路ＳＷ１ａ、・・・、切り替え回路ＳＷ１ｍ、及び出力回路８が設けられ、
携帯電話に用いられる。
【００８３】
ここで、切り替え回路ＳＷ１ａ、・・・、切り替え回路ＳＷ１ｍの数はｍ個で同一構造
を有し、切り替え回路ＳＷ２ａ、・・・、切り替え回路ＳＷ２ｍの数はｍ個で同一構造を
有し、補正データ生成回路２ｂを構成する減算器１１ａ、・・・、減算器１１ｍの数はｍ
個で同一構造を有し、補正データ生成回路２ｂを構成するα乗算器１２ａ、・・・、α乗
算器１２ｍの数はｍ個で同一構造を有し、補正データ生成回路２ｂを構成する加算器１３
ａ、・・・、加算器１３ｍの数はｍ個で同一構造を有している。
【００８４】
そして、ソースドライバ３ｃの出力端子数が、例えばＮ＝７２０に対して、ここでは、
切り替え回路ＳＷ１、切り替え回路ＳＷ２、減算器１１、α乗算器１２、及び加算器１３
の数を、それぞれｍ＝７２（出力端子数Ｎ＝７２０に対して１／１０）に設定している。
切り替え回路ＳＷ１と切り替え回路ＳＷ２は画像データ選択手段として機能する。
【００８５】
入力回路／制御回路７は、画像信号ＳＧＳと制御信号ＳＳＧを入力し、画像データ情報
をフレームメモリ１に出力し、現在のフレームの画像データＬ１を補正データ生成回路２
ａの減算器１１ａ、・・・、減算器１１ｍにそれぞれ出力する。そして、制御回路は切り
替え回路ＳＷ１ａ、・・・、切り替え回路ＳＷ１ｍの動作を制御する選択信号ＳＳＥＬＡ
と切り替え回路ＳＷ２ａ、・・・、切り替え回路ＳＷ２ｍの動作を制御する選択信号ＳＳ
ＥＬＢを出力する。
【００８６】
レジスタ６は、入力回路／制御回路７に設けられ、液晶表示装置３０ｃ外から入力され
る傾き係数αの情報を有する入力信号ＳＩＮを入力し、その情報を記憶する。そして、傾
き係数αの情報を有するレジスタ出力信号ＳＲＥをα乗算器１２ａ、・・・、α乗算器１
２にそれぞれ出力する。
【００８７】
フレームメモリ１は、入力回路／制御回路７とｍ個の切り替え回路ＳＷ１の間に設けら
れ、１０個の１フレーム前の画像データＬ０をそれぞれｍ個の切り替え回路ＳＷ１に出力
する。
【００８８】
切り替え回路ＳＷ１ａは、ＳＰ１０Ｔスイッチから構成され、フレームメモリ１と減算
器１１ａの間に設けられ、フレームメモリ１から出力される１０個の１フレーム前の画像
データＬ０を入力し、選択信号ＳＳＥＬＡにもとづいてその内のいずれか１つの１フレー
ム前の画像データＬ０を選択して減算器１１ａ及び加算器１３ａに出力する。
【００８９】
減算器１１ａは、切り替え回路ＳＷ１ａ及びフレームメモリ１とα乗算器１２ａの間に
設けられ、切り替え回路ＳＷ１ａから選択出力される１フレーム前の画像データＬ０と現
在のフレームの画像データＬ１を入力し、減算処理を行い、その結果をα乗算器１２ａに
出力する。
【００９０】
α乗算器１２ａは、減算器１１ａと加算器１３ａの間に設けられ、減算器１１ａから出
力される信号をα倍の演算処理を行い、その結果を加算器１３ａに出力する。
【００９１】
加算器１３ａは、α乗算器１２ａと切り替え回路ＳＷ２ａの間に設けられ、切り替え回
路ＳＷ１ａから選択出力される１フレーム前の画像データＬ０とα乗算器１２ａから出力
されるα乗算結果を入力し、加算処理を行い、その結果を補正画像データＬＬＡＯとして
切り替え回路ＳＷ２ａに出力する。
【００９２】
切り替え回路ＳＷ２ａは、ＳＰ１０Ｔスイッチから構成され、加算器１３ａと出力回路
８の間に設けられ、加算器１３ａから出力される補正画像データＬＬＡＯを入力し、選択
信号ＳＳＥＬＢにもとづいて出力回路８に設けられる１０個の入力端子のいずれか１つに
選択出力する。ここで、出力回路８には少なくとも１０ｍ個（１０ｘ７２＝７２０個）の
入力端子が設けられている。
【００９３】
切り替え回路ＳＷ１ｍは、ＳＰ１０Ｔスイッチから構成され、フレームメモリ１と減算
器１１ｍの間に設けられ、フレームメモリ１から出力される１０個の１フレーム前の画像
データＬ０を入力し、選択信号ＳＳＥＬＡにもとづいてその内のいずれか１つの１フレー
ム前の画像データＬ０を選択して減算器１１ｍ及び加算器１３ｍに出力する。
【００９４】
減算器１１ｍは、切り替え回路ＳＷ１ｍ及びフレームメモリ１とα乗算器１２ｍの間に
設けられ、切り替え回路ＳＷ１ｍから選択出力される１フレーム前の画像データＬ０と現
在のフレームの画像データＬ１を入力し、減算処理を行い、その結果をα乗算器１２ｍに
出力する。
【００９５】
α乗算器１２ｍは、減算器１１ｍと加算器１３ｍの間に設けられ、減算器１１ｍから出
力される信号をα倍の演算処理を行い、その結果を加算器１３ｍに出力する。
【００９６】
加算器１３ｍは、α乗算器１２ｍと切り替え回路ＳＷ２ｍの間に設けられ、切り替え回
路ＳＷ１ｍから選択出力される１フレーム前の画像データＬ０とα乗算器１２ｍから出力
されるα乗算結果を入力し、加算処理を行い、その結果を補正画像データＬＬＡＯとして
切り替え回路ＳＷ２ｍに出力する。
【００９７】
切り替え回路ＳＷ２ｍは、ＳＰ１０Ｔスイッチから構成され、加算器１３ｍと出力回路
８の間に設けられ、加算器１３ｍから出力される補正画像データＬＬＡＯを入力し、選択
信号ＳＳＥＬＢにもとづいて出力回路８に設けられる１０個の入力端子のいずれか１つに
選択出力する。
【００９８】
出力回路８は、切り替え回路ＳＷ２ａ、・・・、切り替え回路ＳＷ２ｍからそれぞれ出
力されるオーバドライブされた補正画像データＬＬＡＯを入力し、表示パネルのデータ線
に電圧情報を出力する。なお、出力回路８の出力端子数Ｎの数は、必ずしも７２０ｃｈ本
数とは限らない。
【００９９】
上述したように、本実施例の液晶表示装置では、フレームメモリ１、補正データ生成回
路２ｂ、入力回路／制御回路７、切り替え回路ＳＷ１ａ、・・・、切り替え回路ＳＷ１ｍ
、切り替え回路ＳＷ１ａ、・・・、切り替え回路ＳＷ１ｍ、及び出力回路８がソースドラ
イバ３ｃに設けられている。ｍ個の切り替え回路ＳＷ１は、フレームメモリ１から出力さ
れる１０個の１フレーム前の画像データＬ０を入力し、選択信号ＳＳＥＬＡにもとづいて
その内のいずれか１つの１フレーム前の画像データＬ０を選択し、切り替え回路ＳＷ１に
対応する減算器１１及び加算器１３にそれぞれ出力する。補正データ生成回路２ａには、
減算器、α乗算器、及び加算器がそれぞれＮ個設けられている。補正データ生成回路２は
、動画データをオーバドライブ処理し、画像信号ＳＧＳが静止画像データの場合、直接静
止画像データを出力回路８に出力する。レジスタ６は、入力回路／制御回路７に設けられ
、外部から入力される傾き係数αの情報を有する入力信号ＳＩＮを入力してその情報を記
憶し、傾き係数αの情報を有するレジスタ出力信号ＳＲＥをＮ個のα乗算器に出力する。
レジスタ６を介して外部から入力される傾き係数αがＮ個の乗算器に入力された場合、こ
の傾き係数αを用いてα乗算処理が行われる。
【０１００】
ｍ個の切り替え回路ＳＷ２は、ｍ個の加算器１３から出力される、それぞれ切り替え回
路ＳＷ２に対応する補正画像データＬＬＡＯを入力し、選択信号ＳＳＥＬＢにもとづいて
出力回路８に設けられる１０個の入力端子のいずれか１つに選択出力する。
【０１０１】
このため、実施例４と同様の効果の他に、補正データ生成回路２ｂを構成する減算器、
α乗算器、及び加算器の数を削減することができるので、ソースドライバ３ｃの回路構成
を簡略化できる。
【０１０２】
なお、本実施例では、ソースドライバ３ｃの出力端子数７２０に対して、切り替え回路
ＳＷ１、切り替え回路ＳＷ２、減算器１１、α乗算器１２、及び加算器１３の数を、それ
ぞれ７２（出力端子数対して１／１０）に設定しているが異なる比、例えば出力端子数対
して１／５などに設定してもよい。また、ＳＰ１０Ｔであるｍ個の切り替え回路ＳＷ１及
びｍ個の切り替え回路をそれぞれ設けているが、切り替え回路ＳＷ１及び切り替え回路の
構成を適宜変更してもよい。
【実施例７】
【０１０３】
次に、本発明の実施例７に係る液晶表示装置について、図面を参照して説明する。図１
３は、液晶用ソースドライバを示すブロック図である。本実施例では、ソースドライバの
補正データ生成回路に２種類のα乗算器と正負判定回路をそれぞれ複数設けている。
【０１０４】
以下、実施例４と同一構成部分には、同一符号を付してその部分の説明を省略し、異な
る部分のみ説明する。
【０１０５】
図１３に示すように、ソースドライバ３ｄには、フレームメモリ１、補正データ生成回
路２ｃ、入力回路／制御回路７、及び出力回路８が設けられ、携帯電話に用いられる。
【０１０６】
入力回路／制御回路７は、画像信号ＳＧＳと制御信号ＳＳＧを入力し、画像データ情報
をフレームメモリ１に出力し、現在のフレームの画像データＬ１を補正データ生成回路２
ｃに出力する。
【０１０７】
レジスタ６は、入力回路／制御回路７に設けられ、液晶表示装置３０ｄ外から入力され
る傾き係数αの情報を有する入力信号ＳＩＮを入力し、その情報を記憶する。そして、傾
き係数αの情報を有するレジスタ出力信号ＳＲＥをＮ個のα１乗算器及びＮ個のα２乗算
器にそれぞれ出力する。
【０１０８】
補正データ生成回路２ｃは、フレームメモリ１と出力回路８の間に設けられている。補
正データ生成回路２ｃには、減算器、正負判定回路、α１乗算器、α２乗算器、及び加算
器がそれぞれＮ個設けられている。α１乗算器は傾き係数α１でα乗算し、α２乗算器は
傾き係数α２でα乗算する。
【０１０９】
ここで、１フレーム前の画像データＬ０と現在のフレームの画像データＬ１の関係が、
（Ｌ１−Ｌ０）＞０・・・・・・・・・・・・・・式（４）
で表される領域の画像データは、傾き係数α１を用いてα乗算され、
（Ｌ１−Ｌ０）＜０・・・・・・・・・・・・・・式（５）
で表される領域の画像データは、傾き係数α２を用いてα乗算される。
【０１１０】
ここでは、例えば、（Ｌ１−Ｌ０）が正の領域と（Ｌ１−Ｌ０）が負の領域では、（Ｌ
ＬＡＯ−Ｌ０）との関係が異なり、（Ｌ１−Ｌ０）と（ＬＬＡＯ−Ｌ０）の関係が、弱い
相関の場合を想定している。この場合、（Ｌ１−Ｌ０）が正の領域の直線近似から求めた
傾き係数α１と（Ｌ１−Ｌ０）が負の領域の直線近似から求めた傾き係数α２を用いてオ
ーバドライブ処理をしているので、応答速度が速く、シャープな動画像を表示することが
できる。
【０１１１】
（Ｌ１−Ｌ０）の値の正負判定は正負判定回路で行われ、正負判定回路から出力される
信号にもとづいて、α１乗算器或いはα２乗算器の選択が行われる。
【０１１２】
傾き係数α１の場合、α１乗算器から出力されるα乗算された画像データと１フレーム
前の画像データＬ０が加算器に入力され、加算処理が行われる。一方、傾き係数α２の場
合、α２乗算器から出力されるα乗算された画像データと１フレーム前の画像データＬ０
が加算器に入力され、加算処理が行われる。
【０１１３】
出力回路８は、Ｎ個の加算器からそれぞれ出力されるオーバドライブされた補正画像デ
ータＬＬＡＯを入力し、表示パネルのデータ線に電圧情報を出力する。
【０１１４】
上述したように、本実施例の液晶表示装置では、フレームメモリ１、補正データ生成回
路２ｃ、入力回路／制御回路７、及び出力回路８がソースドライバ３ｄに設けられている
。補正データ生成回路２ｃには、減算器、正負判定回路、α１乗算器、α２乗算器、及び
加算器がそれぞれＮ個設けられている。補正データ生成回路２ｃは、（Ｌ１−Ｌ０）が正
の領域の場合には傾き係数α１を用いてオーバドライブ処理を行い、（Ｌ１−Ｌ０）が負
の領域の場合には傾き係数α２を用いてオーバドライブ処理を行っている。
【０１１５】
このため、実施例４と同様の効果の他に、（Ｌ１−Ｌ０）と（ＬＬＡＯ−Ｌ０）の関係
が弱い相関場合でも、（Ｌ１−Ｌ０）が正の領域と（Ｌ１−Ｌ０）が負の領域で、それぞ
れ最適な傾き係数αを用いているので、応答速度が速く、シャープな動画像を表示するこ
とができる。
【０１１６】
なお、本実施例では、傾き係数αを２つに分けているが、必ずしもこれに限定されるも
のではなく、３つ或いは４つと更に分けてもよい。
【実施例８】
【０１１７】
次に、本発明の実施例８に係る液晶表示装置及びその駆動方法について、図面を参照し
て説明する。図１４は、表示パネルに表示される静止画及び動画の領域を示す図、図１５
は液晶用ソースドライバを示すブロック図である。本実施例では、静止画と動画を切り替
える切り替え回路を複数設けている。
【０１１８】
以下、実施例４と同一構成部分には、同一符号を付してその部分の説明を省略し、異な
る部分のみ説明する。
【０１１９】
表示パネル５に動画と静止画を同時に表示する場合、図１４に示すように、表示パネル
５の一部領域に表示される動画領域にオーバドライブ技術を用い、その他の領域に表示さ
れる静止画領域にはオーバドライブ技術を用いない。
【０１２０】
図１５に示すように、ソースドライバ３ｅには、メモリ１ａ、補正データ生成回路２ａ
、入力回路／制御回路７、切り替え回路ＳＷ３ａ、・・・、切り替え回路ＳＷ３ｎ、及び
出力回路８が設けられ、携帯電話に用いられる。ここで、切り替え回路ＳＷ３ａ、・・・
、切り替え回路ＳＷ３ｎの数はＮ個で同一構造を有し、画像データ選択手段として機能す
る。
【０１２１】
入力回路／制御回路７は、画像信号ＳＧＳ、制御信号ＳＳＧ、及び動画領域アドレス指
定信号ＳＤＧＡ入力し、画像データ情報をメモリ１ａに出力し、現在のフレームの画像デ
ータＬ１を補正データ生成回路２ａのＮ個の減算器にそれぞれ出力する。そして、制御回
路は切り替え回路ＳＷ３ａ、・・・、切り替え回路ＳＷ３ｎの動作を制御するN本の選択
信号ＳＳＥＬを出力し、動画領域アドレス指定信号ＳＤＧＡにもとづいて動画像データの
アドレス指定を行う。
【０１２２】
レジスタ６は、入力回路／制御回路７に設けられ、液晶表示装置３０ｅ外から入力され
る傾き係数αの情報を有する入力信号ＳＩＮを入力し、その情報を記憶する。そして、傾
き係数αの情報を有するレジスタ出力信号ＳＲＥをＮ個のα乗算器にそれぞれ出力する。
【０１２３】
メモリ１ａは、入力回路／制御回路７とＮ個の切り替え回路ＳＷ３の間に設けられ、動
画及び静止画の１フレーム前の画像データＬ０をそれぞれＮ個の切り替え回路ＳＷ３に出
力する。ここで、動画データを記憶するメモリ１ａの領域は、１フレーム前の画像データ
を保持するフレームメモリとして用いられ、静止画データを記憶するメモリ１ａの領域は
、通常の表示メモリとして用いられる。
【０１２４】
切り替え回路ＳＷ３ａは、ＳＰＤＴスイッチから構成され、メモリ１ａと補正データ生
成回路２ａの１番目の減算器の間に設けられ、メモリ１ａから出力される静止画の画像デ
ータ及び１フレーム前の画像データ（動画像データ）Ｌ０を入力し、選択信号ＳＳＥＬに
もとづいて、その内のいずれかの画像データを選択する。
【０１２５】
画像データが静止画の場合、切り替え回路ＳＷ３ａから出力される静止画データは、直
接出力回路８に出力される。一方、画像データが動画の場合、動画領域アドレス指定信号
ＳＤＧＡでアドレス指定され、切り替え回路ＳＷ３ａで選択された動画データは補正デー
タ生成回路２ａでデータ補正され、補正画像データＬＬＡＯとして出力回路８に出力され
る。
【０１２６】
Ｎ番目の切り替え回路ＳＷ３ｎは、ＳＰＤＴスイッチから構成され、メモリ１ａと補正
データ生成回路２ａのＮ番目の減算器の間に設けられ、フレームメモリ１から出力される
静止画の画像データ及び１フレーム前の画像データ（動画像データ）Ｌ０を入力し、選択
信号ＳＳＥＬにもとづいて、その内のいずれかの画像データを選択する。
【０１２７】
画像データが静止画の場合、Ｎ番目の切り替え回路ＳＷ３ｎから出力される静止画デー
タは、直接出力回路８に出力される。一方、画像データが動画の場合、動画領域アドレス
指定信号ＳＤＧＡでアドレス指定され、Ｎ番目の切り替え回路ＳＷ３ｎで選択された動画
データは補正データ生成回路２ａでデータ補正され、補正画像データＬＬＡＯとして出力
回路８に出力される。
【０１２８】
次に、液晶表示装置の動作について図１６を参照して説明する。図１６は液晶表示装置
の動作を示すフローチャートである。
【０１２９】
図１６に示すように、まず、画像信号ＳＧＳがメモリ１ａに入力され、画像データが記
憶される（ステップＳ１１）。次に、メモリ１ａから出力される動画データ及び静止画デ
ータが、選択信号ＳＳＥＬにもとづいて切り替え回路ＳＷ３で選択される（ステップＳ１
２）。
【０１３０】
メモリ１ａから出力される画像データが動画の場合、動画領域アドレス指定信号ＳＤＧ
Ａでアドレス指定され、切り替え回路ＳＷ３で選択された動画データは補正データ生成回
路２ａでデータ補正され、補正画像データＬＬＡＯとして出力回路８に出力される（ステ
ップＳ１３）。一方、メモリ１ａから出力される画像データが静止画の場合、切り替え回
路ＳＷ３で選択された静止画データは直接、出力回路８に出力される（ステップＳ１４）
。
【０１３１】
続いて、補正データ生成回路２ａから出力される補正画像データＬＬＡＯと切り替え回
路ＳＷ３から選択出力される静止画データは、出力回路８に入力される。出力回路から出
力される映像データ線情報とゲートドライバから出力される走査線情報が液晶表示パネル
に入力された画像が表示される（ステップＳ１５）。
【０１３２】
上述したように、本実施例の液晶表示装置及びその駆動方法では、メモリ１ａ、補正デ
ータ生成回路２ａ、入力回路／制御回路７、切り替え回路ＳＷ３ａ、・・・、切り替え回
路ＳＷ３ｎ、及び出力回路８がソースドライバ３ｅに設けられている。入力回路／制御回
路７は、画像信号ＳＧＳ、制御信号ＳＳＧ、及び動画領域アドレス指定信号ＳＤＧＡ入力
し、画像データ情報をメモリ１ａに出力し、現在のフレームの画像データＬ１を補正デー
タ生成回路２ａのＮ個の減算器にそれぞれ出力する。レジスタ６は、外部から入力される
傾き係数αの情報を有する入力信号ＳＩＮを入力し、その情報を記憶する。メモリ１ａは
、動画及び静止画の１フレーム前の画像データＬ０をそれぞれＮ個の切り替え回路ＳＷ３
に出力する。Ｎ個の切り替え回路ＳＷ３は、それぞれ、メモリ１ａから出力される静止画
の画像データ及び１フレーム前の画像データ（動画像データ）Ｌ０を入力し、選択信号Ｓ
ＳＥＬにもとづいて、その内のいずれかの画像データを選択する。画像データが静止画の
場合、Ｎ個の切り替え回路ＳＷ３からそれぞれ出力される静止画データは、直接出力回路
８に出力される。一方、画像データが動画の場合、動画領域アドレス指定信号ＳＤＧＡで
アドレス指定され、Ｎ個の切り替え回路ＳＷ３でそれぞれ選択された動画データは補正デ
ータ生成回路２ａでデータ補正され、補正画像データＬＬＡＯとして出力回路８に出力さ
れる。
【０１３３】
このため、実施例４と同様の効果の他に、応答速度が速く、シャープが動画像と静止画
像を同時に液晶表示パネルに表示することができる。
【実施例９】
【０１３４】
次に、本発明の実施例９に係る液晶表示装置について、図面を参照して説明する。図１
７は、液晶表示装置を示す概略ブロック図である。本実施例では、補正データ生成回路の
構成を変更している。
【０１３５】
以下、実施例１と同一構成部分には、同一符号を付してその部分の説明を省略し、異な
る部分のみ説明する。
【０１３６】
図１７に示すように、液晶表示装置３０ｃには、フレームメモリ１、補正データ生成回
路２ｄ、ソースドライバ３、ゲートドライバ４、及び表示パネル５が設けられ、携帯電話
に用いられる。
【０１３７】
補正データ生成回路２ｄには、減算器１１、加算器１３、及びβ乗算器１４が設けられ
ている。補正データ生成回路２ｄは、フレームメモリ１とソースドライバ３の間に設けら
れ、動画像データを入力し、演算処理を行いオーバドライブした補正画像データＬＬＡＯ
をソースドライバ３に出力する。なお、画像信号ＳＧＳが静止画像データの場合、補正デ
ータ生成回路２は直接静止画像データをソースドライバ３に出力する。
【０１３８】
減算器（減算手段）１１は、フレームメモリ１とβ乗算器（乗算手段）１４の間に設け
られ、フレームメモリ１から出力される１フレーム前の画像データＬ０と現在のフレーム
の画像データＬ１を入力し、減算処理を行い、その結果をβ乗算器１４に出力する。
【０１３９】
β乗算器１４は、減算器１１と加算器（加算手段）１３の間に設けられ、減算器１１か
ら出力される信号を入力し、演算処理を行い、その結果を加算器１３に出力する。なお、
β乗算処理については、後に詳述する。
【０１４０】
加算器１３は、β乗算器１４とソースドライバ３の間に設けられ、現在のフレームの画
像データＬ１とβ乗算器１４から出力されるβ乗算結果を入力し、加算処理を行い、その
結果を補正画像データＬＬＡＯとしてソースドライバ３に出力する。
【０１４１】
ソースドライバ３は、加算器１３と表示パネル５の間に設けられ、加算器１３から出力
される補正画像データＬＬＡＯと制御信号ＳＳＧを入力し、表示パネル５のＮｃｈ本数か
らなるデータ線に電圧情報である映像データを供給する。なお、画像信号ＳＧＳが静止画
像データの場合、ソースドライバ３は、データ補正されない静止画像データと制御信号Ｓ
ＳＧを入力し、表示パネル５のＮｃｈ本数からなるデータ線に電圧情報である映像データ
を供給する。
【０１４２】
ここでは、オーバドライブ信号として（ＬＬＡＯ−Ｌ０）の代わりに、（ＬＬＡＯ−Ｌ
１）を用い、そのときの直線の傾き係数をβ、１フレーム前の画像データをＬ０、現在の
フレームの画像データをＬ１、補正画像データをＬＬＡＯとすると、
LLAO−L1＝β(L1−L0)・・・・・・・・・・・・・・・・・・・式（６）
と表される。式（４）を変形すると、
LLAO＝β(L1−L0)＋L1・・・・・・・・・・・・・・・・・・・式（７）
と表される。即ち、（Ｌ１―Ｌ０）の減算処理を減算器１１で、β（Ｌ１−Ｌ０）のβ乗
算処理をβ乗算器１４で、β（Ｌ１−Ｌ０）＋Ｌ１の加算処理を加算器１３でそれぞれ実
行することにより、オーバドライブされた補正画像データＬＬＡＯが生成される。
【０１４３】
上述したように、本実施例の液晶表示装置では、フレームメモリ１、補正データ生成回
路２ｄ、ソースドライバ３、ゲートドライバ４、及び表示パネル５が設けられている。補
正データ生成回路２ｄには、減算器１１、加算器１３、及びβ乗算器１４が設けられてい
る。補正データ生成回路２ｄは、動画データをオーバドライブ処理し、画像信号ＳＧＳが
静止画像データの場合、直接静止画像データをソースドライバ３に出力する。減算器１１
は、フレームメモリ１から出力される１フレーム前の画像データＬ０と現在のフレームの
画像データＬ１を入力し、減算処理を行う。β乗算器１４は、減算器１１から出力される
信号を入力し、β倍の演算処理を行う。加算器１３は、現在のフレームの画像データＬ１
とβ乗算器１４から出力されるβ乗算結果を入力して加算処理を行い、オーバドライブさ
れた補正画像データＬＬＡＯをソースドライバ３に出力する。このため、実施例１と同じ
効果を有する。
【０１４４】
本発明は、上記実施例に限定されるものではなく、発明の趣旨を逸脱しない範囲で、種
々、変更してもよい。
【０１４５】
例えば、実施例では、補正データ生成回路を用いたオーバドライバ技術を移動体端末と
しての携帯電話に適用しているが、パーソナルコンピュータ、ＴＶ、車載、車載、或いは
計測器などのディスプレイ（表示装置）に適用することができる。また、実施例３では、
動画像のエッジ強調処理を行ってからオーバドライブ処理を実施しているが、このエッジ
強調処理は実施例３に限定されるものではなく、他の実施例にも適用することができる。
更に、実施例９では、減算器１１から出力する信号を傾き係数βを用いてβ乗算器１４で
β乗算処理をしているが、補正データ生成回路に複数のβ乗算器を設け、各β乗算器で異
なる傾き係数βを用いてβ乗算処理を行い、オーバドライブ処理を行ってもよい。また、
実施例９にレジスタを設け、このレジスタを介して外部から傾き係数β情報をβ乗算器に
入力させてもよい。
【０１４６】
本発明は、以下の付記に記載されているような構成が考えられる。  
（付記１）  画像データに動画領域がある場合、動画部分を第１のエッジ強調係数値を用
いてエッジ強調処理するステップと、エッジ強調された動画像データをフレームメモリに
記憶するステップと、前記エッジ強調された動画像データから前記フレームメモリに記憶
される１フレーム前の動画像データを減算処理するステップと、減算処理された動画像デ
ータを第１の傾き係数値を用いて乗算処理するステップと、乗算処理された動画像データ
と前記フレームメモリに記憶される１フレーム前の動画像データを加算処理して、オーバ
ドライブされた補正動画像データとするステップと、前記補正動画像データから動画像デ
ータを表示するステップと、表示された動画像が最適な画像か、或いは改善すべき画像か
の判定を行うステップと、前記表示された動画像の動きがシャープでないと判定された場
合、前記第１の傾き係数値とは異なる第２の傾き係数値をもとに、減算処理、乗算処理、
及び加算処理を行い、この処理を前記動画像が最適な画像になるまで繰り返し行うステッ
プと、前記表示された動画像の画像エッジにギラツキがあると判定された場合、前記第１
のエッジ強調係数値とは異なる第２のエッジ強調係数値をもとに、エッジ強調処理を前記
動画像が最適な画像になるまで繰り返し行うステップとを具備する液晶表示装置の駆動方
法。
【０１４７】
（付記２）  画像データをメモリに記憶するステップと、前記メモリから出力される画像
データを動画或いは静止画に切り替えるステップと、前記画像データが動画の場合、現在
のフレームの動画像データから前記メモリに記憶される１フレーム前の動画像データを減
算処理し、減算処理された動画像データを傾き係数値を用いて乗算処理し、乗算処理され
た動画像データと切り替えられた１フレーム前の動画像データを加算処理し、オーバドラ
イブされた補正動画像データとするステップと、アドレス指定された前記補正動画像デー
タと静止画像データを画像表示するステップとを具備する液晶表示装置の駆動方法。
【０１４８】
（付記３）  画像信号を入力し、画像に動画領域と静止画領域があるかを判別し、動画領
域がある場合に動画像の動き速度に応じてエッジ強調係数を算出するエッジ検出回路と、
現在のフレームの画像データと１フレーム前の画像データを入力して減算処理を行う第１
の減算手段と、前記第１の減算手段の減算結果を入力して前記エッジ検出回路から出力さ
れるエッジ強調係数にもとづいて乗算処理を行う第１の乗算手段と、前記第１の乗算手段
の乗算結果と１フレーム前の画像データを入力し、加算処理を行う第１の加算手段とを有
し、動画像部分をエッジ強調処理するエッジ強調回路と、前記エッジ強調回路から出力さ
れるエッジ強調処理されたエッジ強調画像データを入力し、画像データを記憶するメモリ
と、前記エッジ強調画像データと前記メモリから出力される１フレーム前の画像データを
入力して減算処理を行う第２の減算手段と、前記第２の減算手段の減算結果を入力して所
定倍の乗算処理を行う第２の乗算手段と、前記第２の乗算手段の乗算結果と前記メモリか
ら出力される１フレーム前の画像データ或いは前記エッジ強調画像データを入力し、加算
処理を行う第２の加算手段とを有し、前記画像データが動画の場合にオーバドライブ処理
を行う補正データ生成回路とを具備する液晶表示装置。
【０１４９】
（付記４）画像信号を入力し、画像データを記憶するメモリと、外部から入力される傾き
係数値を記憶するレジスタと、前記メモリから出力される静止画像データ及び１フレーム
前の動画像データを入力し、いずれかを選択出力する切り替え回路と、現在のフレームの
動画像データから前記切り替え回路で選択された１フレーム前の動画像データを減算処理
する減算器と、前記減算器の減算結果を入力し、前記傾き係数値を用いて乗算処理する乗
算器と、前記乗算器の乗算結果と前記切り替え回路で選択された１フレーム前の動画像デ
ータを入力し、加算処理を行う加算器とを有し、前記画像データが動画の場合、オーバド
ライブ処理を行い、前記画像データが静止画の場合、直接静止画像データとして出力する
補正データ生成回路とを具備する液晶表示装置。
【０１５０】
（付記５）  画像信号を入力し、画像データを記憶するフレームメモリと、外部から入力
される傾き係数値を記憶するレジスタと、前記フレームメモリから出力されるｍ（ただし
、ｍは２以上の整数）個の１フレーム前の画像データのいずれか１つを選択出力する第１
の切り替え回路と、現在のフレームの画像データから前記第１の切り替え回路で選択され
た１フレーム前の画像データを減算処理する減算器と、前記減算器の減算結果を入力し、
前記傾き係数値を用いて乗算処理する乗算器と、前記乗算器の乗算結果と前記第１の切り
替え回路で選択された１フレーム前の画像データを入力し、加算処理を行う加算器とを有
し、前記画像データが動画の場合、オーバドライブ処理を行い、前記画像データが静止画
の場合、直接静止画像データとして出力する補正データ生成回路と、前記補正データ生成
回路から出力される画像データを出力回路のｍ個の入力端子のいずれか１つに選択出力す
る第２の切り替え回路とを具備する液晶表示装置。
【０１５１】
（付記６）  前記減算器、前記乗算器、及び前記加算器は、それぞれＮ（ただし、Ｎは２
以上の整数）個設けられている付記４又は５に記載の液晶表示装置。
【図面の簡単な説明】
【０１５２】
【図１】本発明の実施例１に係る液晶表示装置を示す概略ブロック図。
【図２】本発明の実施例１に係るフレーム間差分信号とオーバドライブ信号の関係を示す図。
【図３】本発明の実施例１に係るフレーム間の画像レベルを説明する図。
【図４】本発明の実施例２に係る液晶表示装置を示す概略ブロック図。
【図５】本発明の実施例２に係る液晶表示装置の動作を示すフローチャート。
【図６】本発明の実施例３に係る液晶表示装置を示す概略ブロック図。
【図７】本発明の実施例３に係るエッジ強調処理を説明する図。
【図８】本発明の実施例３に係る動き速度とエッジ強調係数の関係を示す図。
【図９】本発明の実施例３に係る液晶表示装置の動作を示すフローチャート。
【図１０】本発明の実施例４に係る液晶用ソースドライバを示すブロック図。
【図１１】本発明の実施例５に係る液晶用ソースドライバを示すブロック図。
【図１２】本発明の実施例６に係る液晶用ソースドライバを示すブロック図。
【図１３】本発明の実施例７に係る液晶用ソースドライバを示すブロック図。
【図１４】本発明の実施例８に係る表示パネルに表示される静止画及び動画の領域を示す図。
【図１５】本発明の実施例８に係る液晶用ソースドライバを示すブロック図。
【図１６】本発明の実施例８に係る液晶表示装置の動作を示すフローチャート。
【図１７】本発明の実施例９に係る液晶表示装置を示す概略ブロック図。
【符号の説明】
【０１５３】
１  フレームメモリ
１ａ  メモリ
２、２ａ、２ｂ、２ｃ、２ｄ  補正データ生成回路
３、３ａ、３ｂ、３ｃ、３ｄ、３ｅ  ソースドライバ
４  ゲートドライバ
５  表示パネル
６  レジスタ
７  入力回路／制御回路
８  出力回路
１１、１１ａ、１１ｍ、２２  減算器
１２、１２ａ、  １２ｍ  α乗算器
１３、１３ａ、１３ｍ、２４  加算器
１４  β乗算器
２０  エッジ強調回路
２１  エッジ検出回路
２３  γ乗算器
３０、３０ａ、３０ｂ、３０ｃ  液晶表示装置
Ｌ０  １フレーム前の画像データ
Ｌ１  現在のフレームの画像データ
Ｌｃ  エッジ強調画像データ
ＬＬＡＯ  補正画像データ
ＳＤＧＡ  動画領域アドレス指定信号
ＳＤＯ  同期信号
ＳＧＳ  画像信号
ＳＩＮ  入力信号
ＳＲＥ  レジスタ出力信号
ＳＳＥＬ、ＳＳＥＬＡ、ＳＳＥＬＢ  選択信号
ＳＳＧ  制御信号
ＳＷ１ａ、ＳＷ１ｍ、ＳＷ２ａ、ＳＷ２ｍ、ＳＷ３ａ、ＳＷ３ｎ  切り替え回路
【図１】
2008009383.tif 000003
【図２】
2008009383.tif 000004
【図３】
2008009383.tif 000005
【図４】
2008009383.tif 000006
【図５】
2008009383.tif 000007
【図６】
2008009383.tif 000008
【図７】
2008009383.tif 000009
【図８】
2008009383.tif 000010
【図９】
2008009383.tif 000011
【図１０】
2008009383.tif 000012
【図１１】
2008009383.tif 000013
【図１２】
2008009383.tif 000014
【図１３】
2008009383.tif 000015
【図１４】
2008009383.tif 000016
【図１５】
2008009383.tif 000017
【図１６】
2008009383.tif 000018
【図１７】
2008009383.tif 000019